(57)【要約】      （修正有）【課題】電源装置を構成する電子部品の個数を多くすることができ、光源ユニットが器具本体に取り付けられた場合に、器具本体内に配線される電線の配置空間を広く確保できる照明器具を提供する。【解決手段】照明器具３００において、電源ケース２６１では、第一のケース側面部２６１−１の立ち上がりが開始する第一の開始長辺部２６１−１Ａは、取付部２２１の長手方向に沿う一方の端部である第一の取付長辺部２２１−１に沿って、第一の取付長辺部２２１−１に近接して位置する。また第二のケース側面部２６１−２の立ち上がりが開始する第二の開始長辺部２６１−２Ａは、取付部２２１の長手方向に沿う他方の端部である第二の取付長辺部２２１−２に沿って、第二の取付長辺部２２１−２に近接して位置する。さらに、電源ケース２６１は、傾斜天面部２６１−５を有し、電線を配置する空間１１１Ｓを形成する。【選択図】図９
2020047593.tif 000002
【特許請求の範囲】
【請求項１】
長尺状の平板部、及び、前記平板部の長手方向に沿った一対の長辺部のそれぞれから立ち上がる一対の側壁部からなる収容部を有する本体と、
発光素子が実装面に実装されている長尺状の発光素子基板と平板状をなし前記平板状の一方の面の側に前記発光素子基板が取り付けられている取付部とを有し、着脱自在に、且つ、前記一方の面の裏面となる他方の面を前記平板部に向けた状態で前記本体に装着されている光源ユニットと、
前記光源ユニットが前記本体に装着された状態で前記収容部に配置されており、前記光源ユニットを前記本体に装着する連結具と、
前記光源ユニットが前記本体に装着された状態で前記平板部と前記他方の面との間に配置され、前記発光素子を点灯させる電気回路が収納される長尺状の電源ケースと、
前記光源ユニットが前記本体に装着された状態で前記長手方向に沿って形成される、前記平板部、前記一対の側壁部のうちの一方の前記側壁部、前記光源ユニット、及び、前記電源ケースに囲まれる空間のうち、前記連結具が重っていない領域に配置された電線と、
を備えた照明器具。
【請求項２】
前記電線は、
前記本体の外部から前記収容部に引き込まれている請求項１に記載の照明器具。
【請求項３】
前記電線は、
前記電気回路と接続している請求項１または請求項２に記載の照明器具。
【請求項４】
前記電線は、
前記発光素子基板と接続している請求項１から請求項３のいずれか１項に記載の照明器具。
【発明の詳細な説明】
【技術分野】
【０００１】
この発明は、器具本体と、器具本体に取り付けられる光源ユニットを備える照明器具に関する。
【背景技術】
【０００２】
天井に取り付けられる器具本体に、着脱自在に光源ユニットが取り付けられる照明器具がある（例えば特許文献１）。
【先行技術文献】
【特許文献】
【０００３】
【特許文献１】特開２０１４−７８５１２号公報（段落［０００５］〜段落［００１３］、図４）
【発明の概要】
【発明が解決しようとする課題】
【０００４】
しかし、特許文献１に開示された照明器具の場合、電源装置を取り付ける取付部材の幅方向の一方側に電源装置を寄せて取り付けている。このため、電源装置の内部空間が狭くなり、実装できる部品数を多くすることができないという課題があった。
【０００５】
本発明は、電源装置を構成する電子部品の個数を多くすることができるようにするとともに、光源ユニットが器具本体に取り付けられたとき、器具本体内に配線される電線が配置される空間を確保することを目的とする。
【課題を解決するための手段】
【０００６】
この発明の照明器具は、
長尺状の平板部、及び、前記平板部の長手方向に沿った一対の長辺部のそれぞれから立ち上がる一対の側壁部からなる収容部を有する本体と、
発光素子が実装面に実装されている長尺状の発光素子基板と平板状をなし前記平板状の一方の面の側に前記発光素子基板が取り付けられている取付部とを有し、着脱自在に、且つ、前記一方の面の裏面となる他方の面を前記平板部に向けた状態で前記本体に装着されている光源ユニットと、
前記光源ユニットが前記本体に装着された状態で前記収容部に配置されており、前記光源ユニットを前記本体に装着する連結具と、
前記光源ユニットが前記本体に装着された状態で前記平板部と前記他方の面との間に配置され、前記発光素子を点灯させる電気回路が収納される長尺状の電源ケースと、
前記光源ユニットが前記本体に装着された状態で前記長手方向に沿って形成される、前記平板部、前記一対の側壁部のうちの一方の前記側壁部、前記光源ユニット、及び、前記電源ケースに囲まれる空間のうち、前記連結具が重っていない領域に配置された電線と、
を備える。
【発明の効果】
【０００７】
本発明によれば、第一の開始長辺部は第一の取付長辺部に近接して位置し、第二の開始長辺部は第二の取付長辺部に接して位置するので、電源装置を構成する電子部品の個数を多くすることができる。また本発明によれば、傾斜天面部を有するので、光源ユニットが器具本体に取り付けられた場合に、器具本体内に配線される電線の配置空間を広く確保できる。
【図面の簡単な説明】
【０００８】
【図１】実施の形態１の図で、照明器具３００の斜視図。
【図２】実施の形態１の図で、照明器具３００を器具本体１００と光源ユニット２００にわけた分解斜視図。
【図３】実施の形態１の図で、照明器具３００の、（ａ）上面図、（ｂ）正面図、（ｃ）下面図、（ｄ）側面図の四面図。
【図４】実施の形態１の図で、器具本体１００の分解斜視図。
【図５】実施の形態１の図で、光源ユニット２００の斜視図。
【図６】実施の形態１の図で、光源ユニット２００の、（ａ）上面図、（ｂ）正面図、（ｃ）下面図、（ｄ）側面図の四面図。
【図７】実施の形態１の図で、図６（ｄ）の側面図の拡大図。
【図８】実施の形態１の図で、光源ユニット２００の分解斜視図。
【図９】図３（ａ）のＡ１−Ａ１断面図。
【図１０】図６（ａ）のＡ２−Ａ２断面図。
【図１１】実施の形態１の図で、電源ケース２６１の斜視図。
【発明を実施するための形態】
【０００９】
実施の形態１．
以下に、図１〜図１１を用いて実施の形態１の照明器具３００を説明する。後述の図９に示すように、照明器具３００では、第一のケース側面部２６１−１の立ち上がりが開始する第一の開始長辺部２６１−１Ａは、取付部２２１の長手方向に沿う一方の端部である第一の取付長辺部２２１−１に沿って、第一の取付長辺部２２１−１に近接して位置する。また第二のケース側面部２６１−２の立ち上がりが開始する第二の開始長辺部２６１−２Ａは、取付部２２１の長手方向に沿う他方の端部である第二の取付長辺部２２１−２に沿って、第二の取付長辺部２２１−２に近接して位置する。よって、照明器具３００では電源ケース２６１が幅方向（図９のＹ方向）に拡張しているので、電源装置を構成する電子部品の個数を多くすることができる。また、電源ケース２６１は傾斜天面部２６１−５を有するので空間１１１Ｓが形成されるので、光源ユニット２００が器具本体１００に取り付けられた場合に、器具本体１００内に配線される電線の配置空間を広く確保できる。
【００１０】
＊＊＊構成の説明＊＊＊
＜照明器具３００＞
図１、図２、図３に示すように、照明器具３００は、器具本体１００と、器具本体１００に着脱可能に取り付けられる光源ユニット２００を備える。
【００１１】
図２に示すように、器具本体１００は、光源ユニット２００を固定するためのバネ部１３０と、照明器具３００の外部から引き込まれた電源電線が接続される端子台１４０を備えている。器具本体１００は、長手方向に沿って略中央部に、光源ユニット２００の収容部である長尺状の後述する凹部１１１が形成されている。
【００１２】
＜器具本体１００＞
図２、図４に示すように、器具本体１００は、本体部１１０、本体部１１０の長手方向の両側を塞ぐ、端板１２０−１、端板１２０−２、バネ部１３０、端子台１４０を備えている。バネ部１３０、端子台１４０は本体部１１０の凹部１１１に取り付けられる。なお図４では本体部１１０、端板１２０−１、１２０−２を示している。
【００１３】
＜凹部１１１＞
図４、図９を参照して、器具本体１００の本体部１１０の有する凹部１１１を説明する。図４、図９に示すように、凹部１１１は、平板部１１２、第一の側壁部１１３−１、第二の側壁部１１３−２とから成る凹形状をなす。平板部１１２は、平板状の長尺をなす。第一の側壁部１１３−１は、平板部１１２の長手方向に沿う一方の平板長辺部１１２ａから立ち上がる平板状である。第二の側壁部１１３−２は平板部１１２の長手方向に沿う他方の平板長辺部１１２ｂから立ち上がる平板状である。このように、凹部１１１は、平板部１１２、第一の側壁部１１３−１，第二の側壁部１１３−２で構成され、断面がコの字形状で、長手方向にわたり形成される凹形状の部分である。また本体部１１０は第一の側壁部１１３−１、第二の側壁部１１３−２から引き続いて形成される傾斜部１１４−１、１１４−２を有する。図９に示すように、光源ユニット２００は、器具本体１００に取り付けられると共に、電源ケース２６１が凹部１１１に収納される。後述の対向天面部２６１−４は、平板部１１２に対向して配置される。
【００１４】
＜光源ユニット２００＞
図５、図６、図７、図８に示すように、光源ユニット２００は、発光素子基板２１０、取付部２２１を有する保持部２２０、カバー部２３０、光源蓋部２４０、連結金具２５０と、電源ケース２６１を有する電源装置２６０、調光端子台２７０を備えている。電源ケース２６１はケース取付具２６３で、取付部２２１の他方の面２２１ｂに取り付けられる。図９に示すように、Ｘ方向においてケース対向部２６１−３と他方の面２２１ｂとの間に隙間２６６がある。なお、図８では、発光素子基板２１０、保持部２２０、カバー部２３０、光源蓋部２４０を示した。
（１）発光素子基板２１０は発光素子２１１としてのＬＥＤが実装面２１０ａに実装され、長尺状をなす。
（２）取付部２２１は発光素子基板２１０が取り付けられる。
（３）カバー部２３０は発光素子基板２１０を覆うように、取付部２２１に取り付けられ、透光性を有する。
（４）光源蓋部２４０は、カバー部２３０の長手方向の両端を塞ぐ。
（５）図２、図６に示すように、連結金具２５０は取付部２２１の他方の面２２１ｂに取り付けられ、器具本体１００のバネ部１３０と連結して光源ユニット２００を器具本体１００に装着される。
（６）電源装置２６０は取付部２２１の他方の面２２１ｂに取り付けられる。
【００１５】
＜保持部２２０＞
図８、図１０に示すように、保持部２２０は、取付部２２１、第一の側面部２２２−１、第二の側面部２２２−２を有する。取付部２２１は、平板状の長尺状をなし、平板状の一方の面２２１ａの長手方向に沿って発光素子基板２１０が取り付けられる。第一の側面部２２２−１、第二の側面部２２２−２は、一方の面２２１ａから一方の面２２１ａの裏面となる他方の面２２１ｂの方向に、取付部２２１の長手方向に沿う端部となるそれぞれの長辺から立ち上がる。図１０に示すように、取付部２２１は、断面形状が「コ」の字状に形成されている。また、第一の側面部２２２−１、第二の側面部２２２−２の先端は、長手方向にかけてカール状に折り曲げ加工されており、このカール状の部分に、カバー部２３０のカバー爪部２３１の先端が係合する。
【００１６】
＜カバー部２３０＞
図２、図８に示すように、カバー部２３０は長尺状に形成されている。カバー部２３０はポリカーボネートなどの樹脂部材から形成される。図８、図１０に示すように、カバー部２３０は、カバー爪部２３１、反射部２３２、水平部２３３、拡散部２３４を備える。（１）カバー爪部２３１が保持部２２０の第一の側面部２２２−１、第二の側面部２２２−２のカール状の部分に係合することで、カバー部２３０が保持部２２０に装着する。
（２）反射部２３２は発光素子基板２１０の長辺を含む発光素子基板２１０の長手方向に沿う両側を覆う。
（３）水平部２３３は反射部２３２から引き続いて形成されている。
（４）拡散部２３４は水平部２３３の端部から、発光素子基板２１０を覆うように略円弧形状に形成されている。
【００１７】
＜光源蓋部２４０＞
図２、図８に示すように、光源ユニット２００は、カバー部２３０の長手方向の両側の端部を塞ぐ光源蓋部２４０を有する。
【００１８】
＜電源装置２６０＞
図６に示すように、電源装置２６０は、発光素子２１１を点灯させるための電気回路２６２と、電気回路２６２が収納される電源ケース２６１とを備える。
【００１９】
図６、図１０、図１１を参照して、電源ケース２６１を説明する。電源ケース２６１は、取付部２２１の他方の面２２１ｂの長手方向に沿って取り付けられ、発光素子２１１を点灯させる電源部である電気回路２６２が収納される長手形状の中空をなす。電源ケース２６１は、ケース対向部２６１−３と、第一のケース側面部２６１−１と、第二のケース側面部２６１−２と、対向天面部２６１−４と、傾斜天面部２６１−５とを有する。
【００２０】
図１０において、
（１）ケース対向部２６１−３は、第一の開始長辺部２６１−１Ａから第二の開始長辺部２６１−２Ａまでの部分である。ケース対向部２６１−３は、取付部２２１の長手方向に沿い、取付部２２１に対向して配置される。
（２）第一のケース側面部２６１−１は、第一の開始長辺部２６１−１Ａから第一の終端長辺部２６１−１Ｂまでの部分である。第一のケース側面部２６１−１は、ケース対向部２６１−３の長手方向に沿う一方の長辺から立ち上がり、立ち上がりの終端となる上述の第一の終端長辺部２６１−１Ｂを有する。
（３）第二のケース側面部２６１−２は、第二の開始長辺部２６１−２Ａから第二の終端長辺部２６１−２Ｂまでの部分である。第二のケース側面部２６１−２は、ケース対向部２６１−３の長手方向に沿う他方の長辺から立ち上がり、立ち上がり終端となる上述の第二の終端長辺部２６１−２Ｂを有する。第二の終端長辺部２６１−２Ｂは、第一の終端長辺部２６１−１Ｂよりも第一のケース側面部２６１−１の立ち上がり方向Ｘでケース対向部２６１−３に近接する。つまり第二の終端長辺部２６１−２Ｂは第一の終端長辺部２６１−１Ｂよりも低い。
（４）対向天面部２６１−４は、第一の終端長辺部２６１−１Ｂから天面終端長辺部２６１−４Ｂまでの部分である。対向天面部２６１−４は、第一の終端長辺部２６１−１Ｂから、ケース対向部２６１−３に対向して第二のケース側面部２６１−２に向かう方向の途中まで延びる。
（５）傾斜天面部２６１−５は、天面終端長辺部２６１−４Ｂから第二の終端長辺部２６１−２Ｂまでの部分である。傾斜天面部２６１−５は、対向天面部２６１−４の終端となる天面終端長辺部２６１−４Ｂと第二の終端長辺部２６１−２Ｂとを接続する。
【００２１】
（６）第一のケース側面部２６１−１の立ち上がりが開始する第一の開始長辺部２６１−１Ａは、取付部２２１の長手方向に沿う一方の端部である第一の取付長辺部２２１−１に沿って、第一の取付長辺部２２１−１に近接して位置する。また、第二のケース側面部２６１−２の立ち上がりが開始する第二の開始長辺部２６１−２Ａは、取付部２２１の長手方向に沿う他方の端部である第二の取付長辺部２２１−２に沿って、第二の取付長辺部２２１−２に近接して位置する。
【００２２】
光源ユニット２００では、第一のケース側面部２６１−１は、第一の終端長辺部２６１−１Ｂから対向天面部２６１−４にＲ形状で移行する移行部２６１−１Ｒを有する。
【００２３】
また、天面終端長辺部２６１−４Ｂは、第一のケース側面部２６１−１から第二のケース側面部２６１−２へ向かうＹ方向において、第一のケース側面部２６１−１の立ち上がりが開始する第一の開始長辺部２６１−１Ａと、第二のケース側面部２６１−２の立ち上がりが開始する第二の開始長辺部２６１−２Ａとの略中央に位置する。つまり、図１０のＹ方向の距離において、天面終端長辺部２６１−４Ｂから第一の開始長辺部２６１−１ＡまでのＹ方向の距離は、天面終端長辺部２６１−４Ｂから第二の開始長辺部２６１−２ＡまでのＹ方向の距離とほとんど同一である。
【００２４】
なお、この実施の形態１では、図１０に示すように電源ケース２６１は、ケースベース部２６１Ｂと、ケースカバー部２６１Ｃとを備えている。つまり電源ケース２６１は、ケースベース部２６１Ｂと、ケースカバー部２６１Ｃとで構成されている。
（１）ケースベース部２６１Ｂは、ケース対向部２６１−３と、破線で囲む第一のケース側面部２６１−１の一部２６１−１−１と、破線で囲む第二のケース側面部２６１−２の一部２６１−２−１とを構成し、一体に成形されている。
（２）またケースカバー部２６１Ｃは、対向天面部２６１−４と、傾斜天面部２６１−５と、第一のケース側面部２６１−１のうち一部２６１−１−１の残余の部分をなす第一の残余部２６１−１−２と、第二のケース側面部２６１−２のうち一部２６１−２−１の残余の部分をなす第二の残余部２６１−２−２とを構成し、一体に成形されている。
【００２５】
ケースベース部２６１Ｂは、コの字状に折り曲げられて形成される。ケースカバー部２６１Ｃは電気回路２６２を覆うように、ケースベース部２６１Ｂに取り付けられる。電気回路２６２は、電気部品と、電気部品が取り付けられる基板とで構成されている。
【００２６】
＊＊＊効果の説明＊＊＊
図１０のような電源ケース２６１の形状を採用することにより、電気回路２６２に実装される電子部品のうち、比較的背の高い電子部品は、対向天面部２６１−４とケースベース部２６１Ｂとに挟まれる位置に配置できる。また、比較的背の低い電気部品は、傾斜天面部２６１−５とケースベース部２６１Ｂとに挟まれる位置と、対向天面部２６１−４とケースベース部２６１Ｂとに挟まれる位置、つまり、図１０において、電気回路２６２の全体に配置できる。
【００２７】
したがって、電気回路２６２を大きくすることができるので、より多くの電子部品を実装できる。
【００２８】
また図９に示すように、傾斜天面部２６１−５を設けることによって、光源ユニット２００を器具本体１００の凹部１１１に取り付けたとき、凹部１１１と傾斜天面部２６１−５に囲まれた空間１１１Ｓを確保できる。そのため、空間１１１Ｓに電線を配置できる。
【００２９】
たとえば、複数の照明器具３００を長手方向に並べて、複数の照明器具３００の端子台１４０同士を送り電線で渡すとき、この送り電線を凹部１１１と傾斜天面部２６１−５に囲まれた空間１１１Ｓに配置できる。この電線配置によって、光源ユニット２００を器具本体１００に取り付ける際の取り付け性が向上し、また、器具本体１００及び光源ユニット２００を小型化することができる。
【００３０】
以上の実施の形態では以下の光源ユニットを説明した。
発光素子が実装面に実装される長尺状の発光素子基板と、
平板状の長尺状をなし、前記平板状の一方の面の長手方向に沿って前記発光素子基板が取り付けられる取付部と、
前記取付部の他方の面の長手方向に沿って取り付けられて前記発光素子を点灯させる電気回路が収納される長手形状の中空の電源ケースと
を備え、
前記電源ケースは、
前記取付部の長手方向に沿い、前記取付部に対向して配置されるケース対向部と、
前記ケース対向部の前記長手方向に沿う一方の長辺から立ち上がり、立ち上がりの終端となる第一の終端長辺部を有する第一のケース側面部と、
前記ケース対向部の長手方向に沿う他方の長辺から立ち上がり、立ち上がり終端となる第二の終端長辺部を有し、前記第二の終端長辺部が前記第一の終端長辺部よりも前記第一のケース側面部の立ち上がり方向で前記ケース対向部に近接する第二のケース側面部と、
前記第一の終端長辺部から、前記ケース対向部に対向して前記第二のケース側面部に向かう方向の途中まで延びる対向天面部と、
前記対向天面部の終端となる天面終端長辺部と前記第二の終端長辺部とを接続する傾斜天面部と
を有する光源ユニット。
【００３１】
以上の実施の形態では以下の光源ユニットを説明した。
前記第一のケース側面部の立ち上がりが開始する第一の開始長辺部は、
前記取付部の長手方向に沿う一方の端部である第一の取付長辺部に沿って、前記第一の取付長辺部に近接して位置し、
前記第二のケース側面部の立ち上がりが開始する第二の開始長辺部は、
前記取付部の長手方向に沿う他方の端部である第二の取付長辺部に沿って、前記第二の取付長辺部に近接して位置する光源ユニット。
【００３２】
以上の実施の形態では以下の光源ユニットを説明した。
前記第一のケース側面部は、
前記第一の終端長辺部から前記対向天面部にＲ形状で移行する移行部を有する光源ユニット。
【００３３】
以上の実施の形態では以下の光源ユニットを説明した。
前記天面終端長辺部は、
前記第一のケース側面部から前記第二のケース側面部へ向かう方向において、前記第一の開始長辺部と、前記第二の開始長辺部との略中央に位置する光源ユニット。
【００３４】
以上の実施の形態では以下の光源ユニットを説明した。
前記電源ケースは、
前記ケース対向部と、
前記第一のケース側面部の一部と、
前記第二のケース側面部の一部と
を構成し、一体に成形されたケースベース部と、
前記対向天面部と、
前記傾斜天面部と、
前記第一のケース側面部のうち前記一部の残余の部分をなす第一の残余部と、
前記第二のケース側面部のうち前記一部の残余の部分をなす第二の残余部と
を構成し、一体に成形されたケースカバー部と
を備える光源ユニット。
【００３５】
以上の実施の形態では以下の照明器具を説明した。
上記に記載した光源ユニットと、
平板状の長尺をなす平板部と、
前記平板部の長手方向に沿う一方の平板長辺部から立ち上がる平板状の第一の側壁部と、
前記平板部の長手方向に沿う他方の平板長辺部から立ち上がる平板状の第二の側壁部とから成る凹形状をなす凹部を有する器具本体と
を備え、
前記光源ユニットは、
前記器具本体に取り付けられると共に、前記電源ケースが前記凹部に収納される照明器具。
【００３６】
以上の実施の形態では以下の光源ユニットを説明した。
前記対向天面部は、
前記平板部に対向して配置される照明器具。
【符号の説明】
【００３７】
１００  器具本体、１１０  本体部、１１１  凹部、１１２  平板部、１１２ａ  一方の平板長辺部、１１２ｂ  他方の平板長辺部、１１３−１  第一の側壁部、１１３−２  
第二の側壁部、１１４−１，１１４−２  傾斜部、１２０−１，１２０−２  端板、１３０  バネ部、１４０  端子台、２００  光源ユニット、２１０  発光素子基板、２１１  発光素子、２１０ａ  実装面、２２０  保持部、２２１  取付部、２２１ａ  一方の面、２２１ｂ  他方の面、２２１−１  第一の取付長辺部、２２１−２  第二の取付長辺部、２２２−１  第一の側面部、２２２−２  第二の側面部、２３０  カバー部、２３１  カバー爪部、２３２  反射部、２３３  水平部、２３４  拡散部、２４０  光源蓋部、２５０  連結金具、２６０  電源装置、２６１  電源ケース、２６１Ｂ  ケースベース部、２６１Ｃ  ケースカバー部、２６１−１  第一のケース側面部、２６１−１Ａ  第一の開始長辺部、２６１−１Ｂ  第一の終端長辺部、２６１−１Ｒ  移行部、２６１−１−１  一部、２６１−２  第二のケース側面部、２６１−２Ａ  第二の開始長辺部、２６１−２Ｂ  第二の終端長辺部、２６１−２−１  一部、２６１−３  ケース対向部、２６１−４  対向天面部、２６１−４Ｂ  天面終端長辺部、２６１−５  傾斜天面部、２６２  電気回路、２６３  ケース取付具、２６６  隙間、２７０  調光端子台、３００  照明器具。
【図１】
2020047593.tif 000003
【図２】
2020047593.tif 000004
【図３】
2020047593.tif 000005
【図４】
2020047593.tif 000006
【図５】
2020047593.tif 000007
【図６】
2020047593.tif 000008
【図７】
2020047593.tif 000009
【図８】
2020047593.tif 000010
【図９】
2020047593.tif 000011
【図１０】
2020047593.tif 000012
【図１１】
2020047593.tif 000013